(57)【特許請求の範囲】
【請求項１】
機器に設けられたバッテリの充電又は放電を支援するための制御手段を備えた充放電支援装置において、
前記制御手段は、
前記機器における過去の前記バッテリの電力消費に関する情報を取得し、
この取得した前記機器における過去の前記バッテリの電力消費に関する情報に基づいて、各時刻に対してその時刻までに担保が必要となる推定必要電力量の関係を表すルールカーブを作成し、
前記作成したルールカーブを用いて前記バッテリへの充電開始時刻又は前記バッテリからの放電停止時刻を推定して決定し、
前記推定して決定した前記充電開始時刻又は前記放電停止時刻を出力することを特徴とする充放電支援装置。
【請求項２】
請求項１に記載した充放電支援装置において、
前記制御手段は、
前記作成したルールカーブを用いて、前記ルールカーブにおける局所最大値近傍にて前記ルールカーブに接するか又は常に前記ルールカーブによる推定必要電力量よりも大きな値を有する線分を設定して、前記バッテリへの充電開始時刻のうちの最も遅い時刻となる最遅充電開始時刻、又は、前記バッテリからの放電停止時刻のうちの最も遅い時刻となる最遅放電停止時刻を推定して決定することを特徴とする充放電支援装置。
【請求項３】
請求項２に記載した充放電支援装置において、
前記制御手段は、
前記作成したルールカーブに複数の局所最大値が存在するとき、各局所最大値近傍にて前記ルールカーブに接するか又は常に前記ルールカーブによる推定必要電力量よりも大きな値を有する線分を設定し、各線分によって推定して決定される各最遅充電開始時刻のうちの最も早い時刻となる最遅充電開始時刻、又は、各線分によって推定して決定される各最遅放電停止時刻のうちの最も遅い時刻となる最遅放電停止時刻を推定して決定することを特徴とする充放電支援装置。
【請求項４】
請求項２又は請求項３に記載した充放電支援装置において、
前記制御手段は、
前記作成したルールカーブによって表される推定消費電力量が前記バッテリにおけるバッテリ容量の上限を超えるときには、前記推定必要電力量が前記バッテリ容量の上限と一致する点を通か又は常に前記ルールカーブによる推定必要電力量よりも大きな値を有する線分を設定して、前記最遅充電開始時刻、又は、前記点を通か又は常に前記ルールカーブによる推定必要電力量よりも大きな値を有する線分を設定して、前記最遅放電停止時刻を推定して決定することを特徴とする充放電支援装置。
【請求項５】
請求項２ないし請求項４のうちのいずれか一つに記載した充放電支援装置において、
前記制御手段は、
前記最遅充電開始時刻を推定して決定するための前記線分を、
前記バッテリへの充電可能量、前記バッテリの充電時における予想気温、前記バッテリに供給する充電電圧及び前記バッテリに供給する充電電流のうちの少なくとも一つを用いて設定し、又は、
前記最遅放電停止時刻を推定して決定するための前記線分を、
前記バッテリによる放電可能量、前記バッテリの充電時における予想気温、前記バッテリから供給する放電電圧及び前記バッテリから供給する放電電流のうちの少なくとも一つを用いて設定することを特徴とする充放電支援装置。
【請求項６】
請求項１ないし請求項５のうちのいずれか一つに記載した充放電支援装置において、
前記機器は外部電源からバッテリを充電するプラグイン式電気車両であり、
前記制御手段は、
前記プラグイン式電気車両における過去の前記バッテリの電力消費に関する情報に基づいて、各時刻に対してその時刻までに担保が必要となる推定必要電力量の関係を表すルールカーブを作成することを特徴とする充放電支援装置。
【請求項７】
請求項６に記載した充放電支援装置において、
前記プラグイン式電気車両における過去の前記バッテリの電力消費に関する情報は、
前記プラグイン式電気車両が所定の駐車位置から出発した時刻を表す出発時刻情報及び前記プラグイン式電気車両が前記所定の駐車位置に到着した時刻を表す到着時刻情報と、前記出発時刻情報によって表される出発時刻に前記プラグイン式電気車両が前記所定の駐車位置を出発してからの走行距離を表す走行距離情報のうちのいずれかであることを特徴とする充放電支援装置。
【請求項８】
請求項１ないし請求項５のうちのいずれか一つに記載した充放電支援装置において、
前記制御手段は、
複数の前記機器におけるそれぞれの過去の前記バッテリの電力消費に関する情報に基づいて、各時刻に対してその時刻までに担保が必要となる推定必要電力量の関係を表すルールカーブをそれぞれ作成し、
前記複数の機器を使用するときの優先度に応じて、前記作成したそれぞれのルールカーブを用いて前記バッテリへの充電開始時刻又は前記バッテリからの放電停止時刻を推定して決定し、
前記推定して決定した前記充電開始時刻又は前記放電停止時刻を出力することを特徴とする充放電支援装置。
【請求項９】
請求項８に記載した充放電支援装置において、
前記制御手段は、
前記作成した各ルールカーブにおける局所最大値近傍にて前記ルールカーブに接するか又は常に前記ルールカーブによる推定必要電力量よりも大きな値を有する線分を前記複数の機器の優先度に応じて設定して、前記バッテリへの充電開始時刻のうちの最も遅い時刻となる最遅充電開始時刻、又は、前記バッテリからの放電停止時刻のうちの最も遅い時刻となる最遅放電停止時刻を推定して決定することを特徴とする充放電支援装置。
【発明の詳細な説明】
【技術分野】
【０００１】
本発明は、機器に設けられたバッテリの充電又は放電を支援する充放電支援装置に関する。
【背景技術】
【０００２】
従来から、例えば、下記特許文献１に示されているような、充放電管理装置は知られている。この従来の充放電管理装置は、需要家の充放電行動により享受できる報奨及び充電・放電の実施に関する制約を定めた充放電報奨情報を充電管理中央サーバから受信する充放電報奨情報受信手段と、充放電報奨情報に基づいて報奨が最大となるようにある時間帯の充電量の合計及び放電量の合計と電気自動車の推定使用開始時刻とを含む充放電計画を作成する計算部と、充放電計画に従った充電・放電の開始・終了を電気自動車に指令する充放電指令送信手段と、充電・放電を監視する充放電量監視手段と、監視によって充電・放電の実施内容及び自身を識別する個体識別情報を含む充放電実施結果を充電管理中央サーバに送信する充放電実施結果送信手段とを有するようになっている。これにより、需要家の行動を踏まえつつ、電力系統全体のエネルギー消費性能及び社会環境性能を向上させるようになっている。
【０００３】
又、従来から、例えば、下記特許文献２に示されているような、電気自動車充電システム及び電気自動車充電方法も知られている。この従来の電気自動車充電システム及び電気自動車充電方法は、電気自動車が駐車スペースに停車すると、制御装置１０が切り替えスイッチ経由で電気自動車と通信して車ＩＤ、電池残量、運行情報等を取得し、ニューラルネット等の手法を用いて車ＩＤから特定される客の滞在時間を予測し、電池残量及び充電器の充電速度により充電時間を計算し、その充電時間が滞在時間に収まるように充電スケジュールを作成するようになっている。又、この従来の電気自動車充電システム及び電気自動車充電方法では、計算した充電時間が滞在時間に収まらない場合には、運行情報から帰路に必要な充電量を計算して充電時間を再計算するようになっており、充電量が不十分となる場合には、その旨を示す警報、又は、出発時刻を延長するように促すメッセージを出力するようになっている。これにより、効率的に複数の電気自動車を充電することができるようになっている。
【０００４】
更に、従来から、例えば、下記特許文献３に示される電力マネジメントシステムも知られている。この従来の電力マネジメントシステムは、確保電力量演算部を備えており、この確保電力量演算部は、走行履歴取得装置が取得した１トリップの消費電力量を学習して通常走行における必要基本電力量を求め、更に、天候情報検出部からの天候情報に基づいて空調機等の使用のための必要電力を加算して確保電力量を決定するようになっている。これにより、車載バッテリに走行環境に対応した電力を確保することができ、急な外出にも対応できるようになっている。
【先行技術文献】
【特許文献】
【０００５】
【特許文献１】特開２０１０−８１７２２号公報
【特許文献２】特開２０１１−８３１６５号公報
【特許文献３】特許第４１６４９９６号公報
【発明の概要】
【０００６】
ところで、上記特許文献１〜３に示された従来の装置やシステムにおいては、過去の電力需要から走行開始時刻や走行開始距離を予測するようになっている。しかしながら、ユーザがより利便性及び確実性を有してバッテリを備えた車両を含む機器を利用しようとする場合には、ユーザが車両を走行させる（機器を作動させる）ために必要な電力を必要な時刻（時間帯）までにバッテリへの充電を完了する、或いは、ユーザが車両を走行させる（機器を作動させる）時刻（時間帯）までにバッテリからの放電を完了しておくことが必要である。このためには、より精度よく車両の利用状況、言い換えれば、ユーザのライフスタイルを予測し、車両の利用状況を反映した充放電計画を立てる必要がある。
【０００７】
本発明は、上記した問題に対処するためになされたものであり、その目的は、車両における各時刻の電力消費を把握して充放電制御を行う充放電支援装置を提供することにある。
【０００８】
上記目的を達成するために、本発明の特徴は、機器に設けられたバッテリの充電又は放電を支援するための制御手段を備えた充放電支援装置において、前記制御手段は、前記機器における過去の前記バッテリの電力消費に関する情報を取得し、この取得した前記機器における過去の前記バッテリの電力消費に関する情報に基づいて、各時刻に対してその時刻までに担保が必要となる推定必要電力量の関係を表すルールカーブを作成し、前記作成したルールカーブを用いて前記バッテリへの充電開始時刻又は前記バッテリからの放電停止時刻を推定して決定し、前記推定して決定した前記充電開始時刻又は前記放電停止時刻を出力することにある。尚、この場合、前記制御手段が、前記機器における過去の前記バッテリの電力消費に関する情報を取得して入力する入力手段と、前記入力手段によって入力された前記機器における過去の前記バッテリの電力消費に関する情報に基づいて、各時刻に対してその時刻までに担保が必要となる推定必要電力量の関係を表すルールカーブを作成するルールカーブ作成手段と、前記ルールカーブ作成手段によって作成されたルールカーブを用いて前記バッテリへの充電開始時刻又は前記バッテリからの放電停止時刻を推定して決定し、前記推定して決定した前記充電開始時刻又は前記放電停止時刻を出力する出力手段とを備えることも可能である。
【０００９】
この場合、前記制御手段は、例えば、前記作成したルールカーブを用いて、前記ルールカーブにおける局所最大値近傍にて前記ルールカーブに接するか又は常に前記ルールカーブによる推定必要電力量よりも大きな値を有する線分を設定して、前記バッテリへの充電開始時刻のうちの最も遅い時刻となる最遅充電開始時刻、又は、前記バッテリからの放電停止時刻のうちの最も遅い時刻となる最遅放電停止時刻を推定して決定することもできる。尚、この場合、前記出力手段は、前記ルールカーブ作成手段によって作成されたルールカーブを用いて、前記ルールカーブにおける局所最大値近傍にて前記ルールカーブに接するか又は常に前記ルールカーブによる推定必要電力量よりも大きな値を有する線分を設定して、前記バッテリへの充電開始時刻のうちの最も遅い時刻となる最遅充電開始時刻、又は、前記バッテリからの放電停止時刻のうちの最も遅い時刻となる最遅放電停止時刻を推定して決定することもできる。
【００１０】
そして、この場合、前記制御手段は、例えば、前記作成したルールカーブに複数の局所最大値が存在するとき、各局所最大値近傍にて前記ルールカーブに接するか又は常に前記ルールカーブによる推定必要電力量よりも大きな値を有する線分を設定し、各線分によって推定して決定される各最遅充電開始時刻のうちの最も早い時刻となる最遅充電開始時刻、又は、各線分によって推定して決定される各最遅放電停止時刻のうちの最も遅い時刻となる最遅放電停止時刻を推定して決定することができる。尚、この場合、前記出力手段は、前記ルールカーブ作成手段によって作成されたルールカーブに複数の局所最大値が存在するとき、各局所最大値近傍にて前記ルールカーブに接するか又は常に前記ルールカーブによる推定必要電力量よりも大きな値を有する線分を設定し、各線分によって推定して決定される各最遅充電開始時刻のうちの最も早い時刻となる最遅充電開始時刻、又は、各線分によって推定して決定される各最遅放電停止時刻のうちの最も遅い時刻となる最遅放電停止時刻を推定して決定することができる。
【００１１】
これらの場合、前記制御手段は、例えば、前記作成したルールカーブによって表される推定消費電力量が前記バッテリにおけるバッテリ容量の上限を超えるときには、前記推定必要電力量が前記バッテリ容量の上限と一致する点を通か又は常に前記ルールカーブによる推定必要電力量よりも大きな値を有する線分を設定して、前記最遅充電開始時刻、又は、前記点を通か又は常に前記ルールカーブによる推定必要電力量よりも大きな値を有する線分を設定して、前記最遅放電停止時刻を推定して決定することもできる。尚、この場合、前記出力手段は、前記ルールカーブ作成手段によって作成されたルールカーブによって表される推定消費電力量が前記バッテリにおけるバッテリ容量の上限を超えるときには、前記推定必要電力量が前記バッテリ容量の上限と一致する点を通か又は常に前記ルールカーブによる推定必要電力量よりも大きな値を有する線分を設定して、前記最遅充電開始時刻、又は、前記点を通か又は常に前記ルールカーブによる推定必要電力量よりも大きな値を有する線分を設定して、前記最遅放電停止時刻を推定して決定することもできる。
【００１２】
更に、これらの場合には、前記制御手段は、前記最遅充電開始時刻を推定して決定するための前記線分を、前記バッテリへの充電可能量、前記バッテリの充電時における予想気温、前記バッテリに供給する充電電圧及び前記バッテリに供給する充電電流のうちの少なくとも一つを用いて設定し、又は、前記最遅放電停止時刻を推定して決定するための前記線分を、前記バッテリによる放電可能量、前記バッテリの充電時における予想気温、前記バッテリから供給する放電電圧及び前記バッテリから供給する放電電流のうちの少なくとも一つを用いて設定することができる。尚、この場合には、前記出力手段は、前記最遅充電開始時刻を推定して決定するための前記線分を、前記バッテリへの充電可能量、前記バッテリの充電時における予想気温、前記バッテリに供給する充電電圧及び前記バッテリに供給する充電電流のうちの少なくとも一つを用いて設定し、又は、前記最遅放電停止時刻を推定して決定するための前記線分を、前記バッテリによる放電可能量、前記バッテリの充電時における予想気温、前記バッテリから供給する放電電圧及び前記バッテリから供給する放電電流のうちの少なくとも一つを用いて設定することができる。
【００１３】
又、本発明の他の特徴は、前記機器は外部電源からバッテリを充電するプラグイン式電気車両であり、前記制御手段は、前記プラグイン式電気車両における過去の前記バッテリの電力消費に関する情報に基づいて、各時刻に対してその時刻までに担保が必要となる推定必要電力量の関係を表すルールカーブを作成することにもある。尚、この場合、前記ルールカーブ作成手段が、外部電源からバッテリを充電するプラグイン式電気車両における過去の前記バッテリの電力消費に関する情報に基づいて、各時刻に対してその時刻までに担保が必要となる推定必要電力量の関係を表すルールカーブを作成することができる。
【００１４】
そして、この場合、前記プラグイン式電気車両における過去の前記バッテリの電力消費に関する情報は、例えば、前記プラグイン式電気車両が所定の駐車位置から出発した時刻を表す出発時刻情報及び前記プラグイン式電気車両が前記所定の駐車位置に到着した時刻を表す到着時刻情報と、前記出発時刻情報によって表される出発時刻に前記プラグイン式電気車両が前記所定の駐車位置を出発してからの走行距離を表す走行距離情報のうちのいずれかとすることができる。
【００１５】
更に、本発明の他の特徴は、前記制御手段は、複数の前記機器におけるそれぞれの過去の前記バッテリの電力消費に関する情報に基づいて、各時刻に対してその時刻までに担保が必要となる推定必要電力量の関係を表すルールカーブをそれぞれ作成し、前記複数の機器を使用するときの優先度に応じて、前記作成したそれぞれのルールカーブを用いて前記バッテリへの充電開始時刻又は前記バッテリからの放電停止時刻を推定して決定し、前記推定して決定した前記充電開始時刻又は前記放電停止時刻を出力することにもある。この場合、前記制御手段は、前記作成した各ルールカーブにおける局所最大値近傍にて前記ルールカーブに接するか又は常に前記ルールカーブによる推定必要電力量よりも大きな値を有する線分を前記複数の機器の優先度に応じて設定して、前記最遅充電開始時刻、又は、前記最遅放電停止時刻を推定して決定することができる。尚、この場合、前記ルールカーブ作成手段は、複数の前記機器におけるそれぞれの過去の前記バッテリの電力消費に関する情報に基づいて、各時刻に対してその時刻までに担保が必要となる推定必要電力量の関係を表すルールカーブをそれぞれ作成し、前記出力手段は、前記複数の機器を使用するときの優先度に応じて、前記ルールカーブ作成手段によって作成されたそれぞれのルールカーブを用いて前記バッテリへの充電開始時刻又は前記バッテリからの放電停止時刻を推定して決定し、前記推定して決定した前記充電開始時刻又は前記放電停止時刻を出力することができる。そして、この場合、前記ルールカーブ作成手段は、前記作成した各ルールカーブにおける局所最大値近傍にて前記ルールカーブに接するか又は常に前記ルールカーブによる推定必要電力量よりも大きな値を有する線分を前記複数の機器の優先度に応じて設定して、前記最遅充電開始時刻、又は、前記最遅放電停止時刻を推定して決定することができる。
【００１６】
これらによれば、充放電支援装置の制御手段（ルールカーブ作成手段）は、外部電源からバッテリを充電するプラグイン式電気車両を含む機器の過去の電力消費に関する情報に基づいて各時刻に対する推定必要電力量の関係を示すルールカーブを精度よく推定して決定することができる。そして、充放電支援装置の制御手段（出力手段）は、精度よく推定されて作成されたルールカーブに基づいて、例えば、機器を作動させる（車両を走行させる）ために必要となる推定必要電力量が最大となる時間帯（時刻）までにバッテリへの充電を完了させることができる充電開始時刻を決定して出力することができる。又、充放電支援装置の制御手段（出力手段）は、精度よく推定されて作成されたルールカーブに基づいて、例えば、機器（車両）のバッテリが余剰電力を有しているときにバッテリから放電させることができる放電停止時刻を決定して出力することができる。これにより、ユーザは、極めて正確な情報を把握して確実に車両を充放電制御することができる。従って、このような充放電支援の対象となる機器（車両）を利用するユーザは、良好なバッテリの充電状態で機器（車両）を確実に利用することができて、極めて良好な利便性を享受することができる。
【図面の簡単な説明】
【００１７】
【図１】本発明に係る充放電支援装置の適用可能なシステムの構成を示す概略図である。
【図２】本発明に係る充放電支援装置の構成を示す概略図である。
【図３】図２の電子制御ユニット内にてコンピュータプログラム処理により実現される機能を表す機能ブロック図である。
【図４】図３の出発・到着時刻予測マップ生成部によって作成される出発予想時刻マップ及び到着予想時刻マップを説明するための図である。
【図５】図３の走行距離予測マップ生成部によって作成される出発時間帯別予想走行距離マップを説明するための図である。
【図６】ワイブル分布で近似した各時間帯別の走行距離累積度数分布を説明するための図である。
【図７】図３のルールカーブ作成部によって作成されるルールカーブを示す概略図である。
【図８】図３のデータ出力部による推定最遅充電開始時刻及び推定最遅放電停止時刻の決定を説明するための図である。
【図９】本発明の第１変形例に係り、複数の局所最大値を有するルールカーブを用いて、データ出力部が最遅充電開始時刻及び推定最遅放電停止時刻を決定することを説明するための図である。
【図１０】本発明の第２変形例に係り、推定電力量がバッテリ容量の上限を超えるルールカーブを用いて、データ出力部が最遅充電開始時刻及び推定最遅放電停止時刻を決定することを説明するための図である。
【図１１】本発明の第３変形例に係り、複数のルールカーブ及び機器の優先度を用いて、データ出力部が最遅充電開始時刻を決定することを説明するための図である。
【発明を実施するための形態】
【００１８】
以下、本発明の実施形態に係る充放電支援装置について図面を参照しながら説明する。
【００１９】
図１は、充放電支援装置の適用可能なシステムの概略構成を示している。このシステムを構成する車両１０は、バッテリ１１を搭載しており、外部電源からバッテリ１１に充電できるようにしたプラグイン電気車両、例えば、バッテリ１１の電力で走行する電気自動車（ＥＶ）や、更に内燃機関を備えたプラグインハイブリッド車（ＰＨＶ）、或いは、電動自転車、アシスト自転車、電動バイク等の二輪車である。ここで、車両１０の構成自体は、周知の構成を採用することができ、又、本発明に直接関係しないため、以下に簡単に説明しておく。
【００２０】
車両１０は、図１に示すように、走行駆動系として、バッテリ１１から出力される直流電力を三相交流電力に変換するインバータ１２と、インバータ１２から出力される三相交流電力により駆動されて車輪Ｗを回転させる走行用モータ１３と、インバータ１２の出力を制御するモータ制御ユニット１４とを備えている。これにより、車両１０は、モータ制御ユニット１４がインバータ１２を介してバッテリ１１から走行用モータ１３に供給される電力を制御することによって走行することができる。
【００２１】
又、車両１０は、バッテリ１１を充電する又はバッテリ１１から放電するための充放電システム２０を備えている。充放電システム２０は、図１に示すように、充放電用接続ケーブルＫのプラグＫ１が接続可能に設けられた受給電コネクタ２１と、受給電コネクタ２１に供給される交流電力を直流電力に変換してバッテリ１１に直流電力を出力する、及び、バッテリ１１に充電されている直流電力を交流電力に変換して受給電コネクタ２１から充放電用接続ケーブルＫに出力するＡＣ／ＤＣ変換器２２と、バッテリ１１の充電及び放電を制御する車両側充放電制御ユニット２３（以下、単に「車両側充放電ＥＣＵ２３」と称呼する。）とを備えている。車両側充放電ＥＣＵ２３は、ＣＰＵ、ＲＯＭ、ＲＡＭ等を主要構成部品とするマイクロコンピュータであり、図１に示すように、充放電支援装置３０と通信アンテナを介して通信できるようになっている。又、充放電システム２０においては、受給電コネクタ２１とＡＣ／ＤＣ変換器２２との間の電源ラインに、充放電制御スイッチ２４が設けられている。この充放電制御スイッチ２４は、車両側充放電ＥＣＵ２３からの制御信号によりオン状態とオフ状態とに切り替え可能となっている。さらに、充放電システム２０においては、バッテリ１１に設けられてバッテリの充電状態を示す値（電力量或いはバッテリ残量）であるＳＯＣ(State Of Charge)を検出するＳＯＣ検出部２５が設けられている。ＳＯＣ検出部２５は、ＳＯＣを表す信号を車両側充放電ＥＣＵ２３に出力する。
【００２２】
そして、このような充電システム２０を備えた車両１０においては、ユーザの自宅或いは共用する駐車場等の所定の駐車位置に設置された充放電施設としての充放電スタンド４０の充放電用コンセント４１と電気的に接続されることによって、バッテリ１１に電力が供給されて充電され、又、バッテリ１１の電力が充放電スタンド４０に放電される。これにより、車両１０のバッテリ１１を充電する、又は、車両１０のバッテリ１１から放電する場合には、充放電用接続ケーブルＫのプラグＫ２を充放電用コンセント４１に差し込むとともに、上述したように充放電用接続ケーブルＫのプラグＫ１を受給電コネクタ２１に差し込む。これにより、バッテリ１１を充電するときには、充放電用コンセント４１から車両１０のバッテリ１１に電力が供給される。一方、バッテリ１１から放電するときには、車両１０のバッテリ１１から充放電用コンセント４１に電力が供給される。
【００２３】
ここで、充放電スタンド４０は、電力受給制御ユニット４２（以下、「電力受給ＥＣＵ４２」と称呼する。）を備えている。電力受給制御ＥＣＵ４２は、ＣＰＵ、ＲＯＭ、ＲＡＭ等を主要構成部品とするマイクロコンピュータであり、図１に示すように、充放電システム２０の車両側充放電ＥＣＵ２３と通信アンテナを介して互いに近距離無線通信することにより、適切な量の電力を受給するようになっている。すなわち、電力受給制御ＥＣＵ４２は、車両側充放電ＥＣＵ２３とは、互いに所定の周期により、種々の情報（例えば、充電におけるリクエストコードやレスポンスコード、車両１０（すなわち、ユーザ）を特定するＩＤ情報、バッテリ１１のＳＯＣ等）を送受信することにより、適切な量の電力を受給する、言い換えれば、適切にバッテリ１１を充電するとともにバッテリ１１から放電させるようになっている。
【００２４】
充放電支援装置３０（以下、単に「本装置３０」とも称呼する。）は、車両１０について、車両１０が駐車される所定の駐車位置からの出発時刻及び所定の駐車位置への到着時刻と、所定の駐車位置を出発してから所定の駐車位置に到着する（戻る）までに車両１０が走行した走行距離とを、車両１０を用いた日々の行動パターン（ライフスタイル）として収集して蓄積し、蓄積した車両１０の行動パターンから日々の利用状況（より具体的には、曜日毎の利用状況）を精度よく予測する。そして、充放電支援装置３０は、このように予測した車両１０の利用状況に基づいて各時刻（又は時間帯毎）に対する推定必要電力量（バッテリ残量）を表すルールカーブを作成し、このルールカーブに基づいて最適な充電開始時間又は放電停止時間を決定するようになっている。
【００２５】
このため、本装置３０は、図２に概略的に示すように、互いに通信可能に接続された電子制御ユニット３１、通信ユニット３２及び記憶ユニット３３を必要最小限の構成として備えている。従って、本装置３０の利用態様（設置態様）に応じてその構成を適宜変更することは可能であり、例えば、図２に示すように、本装置３０が入力ユニット３４及び液晶表示ユニット３５を備えるように構成して実施することも可能である。
【００２６】
電子制御ユニット３１は、ＣＰＵ，ＲＯＭ、ＲＡＭ等を主要構成部品とするマイクロコンピュータであり、各種のプログラムを実行することにより、本装置３０の作動を統括的に制御する。通信ユニット３２は、無線（又は有線）によって、少なくとも、車両側充放電ＥＣＵ２３と通信するものである。尚、本装置３０の利用態様（設置態様）に関し、車両１０を駐車する所定の駐車位置が、例えば、自宅であり、本装置３０が自宅で利用される場合、すなわち、本装置３０が車両１０に比較的近い位置にて利用される場合には、通信ユニット３２が近距離無線通信（又は有線通信）によって直接的に車両側充放電ＥＣＵ２３と通信できるようになっており、所定の駐車位置から遠方に本装置３０が設置されて利用されう場合には、通信ユニット３２が、例えば、インターネット通信網（公衆回線網）や専用回線網を介した無線通信（又は有線通信）により、車両側充放電ＥＣＵ２３と通信できるようになっている。
【００２７】
記憶ユニット３３は、ハードディスクや半導体メモリ等の記憶媒体及び同記憶媒体のドライブ装置を含むものであり、電子制御ユニット３１が本装置３０の作動を統括的に制御するにあたって必要なプログラム及びデータを予め記憶している。そして、記憶ユニット３３内には車両１０の過去の電力消費に関する情報である車両１０の走行履歴を検索可能に記憶する車両走行履歴データベース３３ａが構築されている。尚、記憶ユニット３３内には、必要に応じて、例えば、車両１０を識別するためのＩＤ情報（車両ＩＤ情報）として、例えば、車両登録番号や車台番号等を検索可能に記憶する車両ＩＤデータベースを構築したり、車両１０のユーザを識別するためのＩＤ情報（ユーザＩＤ情報）を検索可能に記憶するユーザＩＤデータベースを構築したりすることができる。
【００２８】
入力ユニット３４は、液晶表示ユニット３５の近傍に設けられた操作スイッチ、液晶表示ユニット３５内に組み込まれて表示パネルのタッチ操作を検出するパネルタッチスイッチ等からなり、ユーザによる各種入力を可能とするものである。液晶表示ユニット３５は、文字、図形等を表示パネル上に表示するものである。
【００２９】
次に、上記のように構成した本装置３０の動作について、電子制御ユニット３１内にてコンピュータプログラム処理により実現される機能を表す図３の機能ブロック図を用いて説明する。本実施形態における本装置３０の電子制御ユニット３１は、データ入力部５１、出発・到着時刻予測マップ生成部５２、走行距離予測マップ生成部５３、ルールカーブ作成部５４、データ出力部５５とからなる。
【００３０】
尚、本実施形態においては、本装置３０は、充放電支援の対象となる車両１０のルールカーブを作成するにあたり、車両１０の走行履歴を利用する。このため、本実施形態の車両１０においては、充放電に利用可能な充放電スタンド４０が設置された所定の駐車位置（例えば、自宅）を起点とし、この所定の駐車位置から出発する出発時間及びこの駐車位置に到着する（戻る）到着時間を検出可能であり、この駐車位置を出発してから戻るまでに（到着するまでに）走行した走行距離が検出可能であるとする。この場合、これらの出発時間、到着時間及び走行距離の検出については、如何なる方法をも採用可能であるが、例えば、車両１０が周知のナビゲーションユニットを搭載しており、このナビゲーションユニットが車両の現在位置を検出することにより、前記所定の駐車位置を起点として、出発時刻、到着時刻及び走行距離を検出するとよい。或いは、本装置３０が車両１０の現在位置を通信を介して直接的に取得することにより、車両１０の出発時間、到着時間及び走行距離を検出（取得）するようにすることも可能である。
【００３１】
そして、ユーザが車両１０を所定の駐車位置から走行を開始する（出発する）と、例えば、車両１０に搭載されたナビゲーションユニットは、検出している車両１０の現在位置の変化に基づき車両１０が所定の駐車位置から出発したことを検知し、この出発を検知した時刻（すなわち、出発時刻）を表す出発時刻情報を所定の記憶手段に車両ＩＤとともに記憶する。又、車両１０に搭載されたナビゲーションユニットは、検出している車両１０の現在位置の変化に基づき車両１０が出発してからの走行距離を算出し、最終的に、ユーザによって車両１０が所定の駐車位置に到着する（戻る）までの走行距離を表す走行距離情報を所定の記憶手段に車両ＩＤ及び出発時刻情報とともに記憶する。又、車両１０に搭載されたナビゲーションユニットは、検出している車両１０の現在位置の変化に基づき車両１０が所定の駐車位置に到着したことを検知し、この到着を検知した時刻（すなわち、到着時刻）を表す到着時刻情報を所定の記憶手段に車両ＩＤ、出発時刻情報及び走行距離情報とともに記憶する。更に、車両１０における充放電システム２０の車両側充放電ＥＣＵ２３は、ナビゲーションユニットと協働して、例えば、今回の走行に伴い、バッテリ１１に充電されている単位電力量当たりの走行距離、所謂、電費を表す電費情報を所定の記憶手段に車両ＩＤとともに記憶する。そして、車両１０においては、所定の駐車位置に駐車されると、充電システム２０の車両側充放電ＥＣＵ２３が記憶手段に記憶している車両ＩＤ、出発時刻情報、到着時刻情報及び走行距離情報を本装置３０に出力するとともに、電費情報を本装置３０に出力する。
【００３２】
本装置３０においては、電子制御ユニット３１が通信ユニット３２を介して、走行を終えた車両１０から出力された車両ＩＤ、出発時刻情報、到着時刻情報及び走行距離情報と電費情報とを受信する。そして、電子制御ユニット３１は、出力された車両ＩＤを用いて車両１０を特定する。続いて、電子制御ユニット３１は、出力された出発時刻情報、到着時刻情報及び走行距離情報を走行履歴データベース３３ａに記憶する。このとき、電子制御ユニット３１は、走行履歴データベース３３ａ内に予め車両１０に対応して形成された記憶位置にて、例えば、曜日別に出発時刻情報、到着時刻情報及び走行距離情報を検索可能に蓄積して記憶するとともに、これらの情報に合わせて電費情報を記憶する。
【００３３】
このように、記憶ユニット３３の走行履歴データベース３３ａに対して、車両１０に関して、曜日別に出発時刻情報、到着時刻情報及び走行距離情報と電費情報とが記憶された状態において、電子制御ユニット３１を構成するデータ入力部５１は、走行履歴データベース３３ａから出発時刻情報、到着時刻情報及び走行距離情報と電費情報とを入力する。具体的に例示して説明すると、データ入力部５１は、走行履歴データベース３３ａに蓄積されている車両１０の出発時刻情報、到着時刻情報及び走行距離情報と電費情報のうち、例えば、平日である月曜日〜金曜日の出発時刻情報、到着時刻情報及び走行距離情報と電費情報とを選択的に入力することができる。或いは、データ入力部５１は、走行履歴データベース３３ａに蓄積されている車両１０の出発時刻情報、到着時刻情報及び走行距離情報と電費情報のうち、例えば、休日である土曜日と日曜日又は祭日の出発時刻情報、到着時刻情報及び走行距離情報と電費情報とを選択的に入力することができる。
【００３４】
そして、このように、車両１０についての曜日別の出発時刻情報、到着時刻情報及び走行距離情報と電費情報とを入力すると、データ入力部５１は、入力した各情報のうち、曜日別の出発時刻情報及び到着時刻情報を出発・到着時刻予測マップ生成部５２に出力し、走行距離情報を走行距離予測マップ生成部５３に出力し、電費情報をルールカーブ作成部５４に出力する。
【００３５】
出発・到着時刻予測マップ生成部５２は、下記式１を用いて、車両１０の平日と休日別の出発予想時刻マップを作成するとともに、車両１０の平日と休日別の到着予想時刻マップを作成する。
【数１】
0005897848.tif 000002
ただし、前記式１中のtjは、データ入力部５１によって入力された出発時刻情報が表す出発時刻のうちの早い方からｊ番目の出発時刻を表すものであり、又、データ入力部５１によって入力された到着時刻情報が表す到着時刻のうちの早い方からｊ番目の到着時刻を表すものである。そして、前記式１中のPtjは、出発時刻tj(j=0,…n)又は到着時刻tj(j=0,…n)の出現累積確率（安全確率）を表す。又、前記式１中のNtjは、出発時刻tj(j=0,…n)又は到着時刻tj(j=0,…n)における度数を表し、NAllは、出発時刻tj(j=0,…n)又は到着時刻tj(j=0,…n)における合計度数を表す。
【００３６】
そして、前記式１に従って、例えば、車両１０について予測した平日と休日の出発予想時刻マップ及び到着予想時刻マップは図４に示すようになる。この出発予想時刻マップ及び到着予想時刻マップによれば、実線により示す平日の車両１０の出発時刻はある時間帯（例えば、８時台）に出発する確率が高いことが理解できる。又、この出発予想時刻マップ及び到着予想時刻マップによれば、破線により示す休日の車両１０の出発時刻は大凡満遍なく出発していることが理解できる。このように、出発予想時刻マップ及び到着予想時刻マップを作成すると、出発・到着時刻予測マップ生成部５２は、作成した出発予想時刻マップ及び到着予想時刻マップのうち、作成した出発予想時刻マップから予測される出発時刻を表す予測出発時間時刻を走行距離予測マップ生成部５３に供給する。
【００３７】
走行距離予測マップ生成部５３は、車両１０について、データ入力部５１から曜日別の走行距離情報を入力するとともに、出発・到着時刻予測マップ生成部５２から予測出発時刻情報を入力する。そして、走行距離予測マップ生成部５３は、走行距離情報及び予測出発時刻情報を用いて、下記式２に従って、出発時間帯（すなわち、出発時刻）における最長走行距離を予測する平日と休日別の出発時間帯別予想走行距離マップを作成する。
【数２】
0005897848.tif 000003
ただし、前記式２中のPhdは、出発時間帯hと、この出発時間帯hにおける距離d（以下、「距離時間帯d」と称呼する。）の出現累積確率（安全確率）を表す。又、前記式２中のNhdは、出発時間帯hと距離時間帯dの度数を表し、Nhは、出発時間帯hの合計度数を表す。
【００３８】
そして、前記式２に従って、例えば、車両１０について予測した平日の出発時間帯別予想走行距離マップ（例えば、８時、９時、１０時）は図５に示すようになる。この出発時間帯別予想走行距離マップによれば、例えば、平日の出発時刻帯である９時台及び１０時台に着目してみると、車両１０は長距離を走行する確率が存在することが理解できる。
【００３９】
ここで、車両１０について、出発・到着時刻予測マップ生成部５２によって作成された図４に示した平日の出発予想時刻マップに従えば、上述したように、例えば、８時台に出発する確率が高い。すなわち、車両１０に関しては、８時台までは距離時間帯dの度数すなわち走行距離情報によって表されるデータが多く収集され、９時台以降では距離時間帯dの度数すなわち走行距離情報が極端に少なくなる。この場合、前記式２に従って計算される出現累積確率（安全確率）Phdは、Nhdすなわち出発時間帯hと距離時間帯dの度数に依存するため、例えば、度数が極端に少なくなる（或いは度数が「０」）状況では、例えば、図５における９時台及び１０時台のように、不自然な分布を有するマップが生成される場合がある。
【００４０】
ところで、走行距離のような正の値を取る量の分布は、指数分布、ワイブル分布、ガンマ分布等指数分布族や対数正規分布で表されることが多い。又、このような分布を表す際には、混合正規分布等で表すことも有効である。このため、出発時間帯別予想走行距離マップを作成するにあたり、今、時刻tに出発して距離dだけ走行したことを記録したＮ個のデータ(t1,d1)，(t2,d2)，…，(tN,dN)が得られている場合を想定し、このデータから、時刻tと距離dの同時確率密度関数f(d,t)を作成することを検討する。尚、時刻tと距離dの同時確率密度関数f(d,t)は、時刻tに出発する確率密度f(t)と、時刻tに出発した場合に距離dを走行する条件付きの確率密度関数f(d|t)の積f(d,t)=f(d|t)f(t)としても表すことができる。そして、f(d,t)又はf(t)とf(d|t)をデータから決定する方法としては、以下に示すように、大きく分類して３種類の方法が考えられる。ここで、これらの方法を用いる場合には、例えば、曜日、季節、気温、天候等の環境変数を勘案して適切にデータを区分した後にそれぞれの分類について処理を行うことが効果的である。更に、これらの環境変数を質的変数として、例えば一般化線形モデル等を用いて種々の環境に対するパラメータをまとめて表すことも有効である。
【００４１】
ａ．頻度法
頻度法は、ある時間ステップ（例えば、１時間）毎にデータを区切り、各時間帯の走行距離情報によって表されるデータの累積分布をテーブルで表すものである。この頻度法では、各時間帯の走行距離情報によって表されるデータの累積分布をテーブルで表すことができるため、計算負荷を小さくして任意の分布を保持できる点で有効である。ただし、データ数が少ないと、例えば、図５で示したように、階段状の粗い分布しか得られない、データが存在しない時間帯では分布が決められない、或いは、少数のパラメータに情報を集約することができないために他の分布との比較や集計が難しくなる等のデメリットも存在する。
【００４２】
ｂ．ノンパラメトリックな手法
上述したａ．頻度法において、データ数が少ない場合に階段状の粗い分布が得られることを解消する方法として、母集団の分布型に対して一切の仮定を設けないノンパラメトリックな手法を採用することが可能である。この場合、例えば、カーネル密度推定などの特定の分布形を仮定しない方法を採用することにより、任意の分布を滑らかに求めることができる。ただし、このようなノンパラメトリックな手法を採用する場合であっても、少数のパラメータに情報を集約することができないために他の分布との比較や集計が難しくなる等のデメリットも存在する。
【００４３】
ｃ．パラメトリックな手法
ｂ．ノンパラメトリックな手法に対して、予め母集団の分布型に対して何らかの仮定を設けるパラメトリックな手法を採用することが可能である。具体的に、このパラメトリックな手法においては、走行距離方向の分布f(d|t)を、指数分布、ワイブル分布、ガンマ分布等の指数分布族、対数正規分布、混合ガウス分布等のパラメトリックな確率分布で表し、そのパラメータを時間刻み毎（時間ステップ毎）に決定する。これにより、走行距離方向にて滑らかな分布が得られるようになる。尚、この場合、複数の分布の和として表すことも有効となる。そして、このパラメトリックな手法では、パラメータの事前分布を与えておくことにより、データ数が少ない或いは「０」（ゼロ）の場合であっても、事前分布に従ったパラメータを決定することができる。ここで、事前分布に関し、例えば、車両１０に関するパラメータの情報が多く蓄積された場合、これらのパラメータの分布を事前分布とすることも可能である。これにより、所定の集団別にパラメータを集約することにより、未だデータが「０」（ゼロ）の新規の集団に対して、合理的なパラメータの事前分布を与えることができ、又、新規の集団におけるパラメータはその集団におけるデータが増えることによって緩やかに修正される。
【００４４】
具体的に例示して説明すると、例えば、f(d|t)＝g(d;at)となるように、パラメータ（ベクトル）atで表される分布を用いて時間帯を２４時間に区分し各時間帯（１時間毎）のatを求める場合には、a0，…，a23の事前分布p(a0，…，a23)を考える。この場合において、このパラメータからＮ個のデータが観測される確率（尤度）Lは、下記式３により表すことができる。
【数３】
0005897848.tif 000004
そして、前記式３をa0，…，a23について最大化することによって、例えば、図６に示すように、パラメータを決定することができる。
【００４５】
又、隣り合う時間帯同士の走行距離分布が滑らかに変化するようにするには、隣り合う時間帯のパラメータの差Δat=at−at+1が「０」（ゼロ）に、又は、比Δat=at／at+1が「１」に近づくような事前分布P(Δat)を与えておけばよい。この場合、例えば、下記式４に示すように、「０」（ゼロ）を中心とする正規分布等を事前分布として与えることができる。
【数４】
0005897848.tif 000005
【００４６】
又、このパラメトリックな手法を採用した場合には、走行距離情報によって表されるデータが１つも存在しない時間帯のパラメータは事前分布のみで決まるようになる。このため、事前分布として、例えば、平均走行距離がほぼ「０」（ゼロ）となり、かつ、パラメータが確率最大となる分布を採用することにより、走行距離情報によって表されるデータ数が１つも存在しない時間帯では走行距離がほぼ「０」（ゼロ）となるように走行距離の分布が自然に選択されるようにすることができる。尚、このようにパラメータを決定するときには、例えば、忘却係数を導入しておき、古いデータほど重みを小さくすることによって偶然発生したデータを影響が長く残ることを排除することができる。
【００４７】
更に、この場合、例えば、走行距離がほぼ「０」（ゼロ）となる分布の確率密度はデルタ関数で表わすことができるが、下記式５によって表されるワイブル分布において、尺度パラメータTを非常に小さい正の数に設定することにより、デルタ関数のように振る舞うようにすることができる。
【数５】
0005897848.tif 000006
ただし、前記式５中のmはワイブル係数である。
【００４８】
具体的に、尺度パラメータTの事前分布P(T)として、下記式６及び式７に示す分布を採用するとよい。
【数６】
0005897848.tif 000007
【数７】
0005897848.tif 000008
【００４９】
ここで、図６を説明しておく。図６は、各時間帯別の走行距離累積度数分布をワイブル分布で近似したものであり、ワイブル分布におけるパラメータにガンマ分布による事前分布を与えた場合を示している。図６からも明らかなように、実線により示す実際の走行距離情報によって表されるデータと破線により示すワイブル分布による近似とを比較すると、ワイブル分布によって良好に近似されていることが理解できる。特に、走行距離情報によって表されるデータが１つも存在しない時間帯では、走行距離が「０」（ゼロ）付近で急激に累積度数が「１」に近付き、適切に、走行距離が「０」（ゼロ）であることを示している。又、９時台及び１０時台は、長距離となる走行距離情報によって表されるデータが数点（１点又は２点）存在する場合を示しているが、事前分布によって走行距離が「０」（ゼロ）となるように制約しているため、累積分布としては、走行距離が「０」（ゼロ）付近で急激に増加し、その後緩やかに増加することが理解できる。
【００５０】
このように、パラメトリックな手法を採用して、走行距離方向の分布f(d|t)を決定することができれば、この分布f(d|t)を走行距離方向にて積分することにより、出発時刻別の累積度数分布F(d|t)を求めることができる。そして、この出発時刻別の累積度数分布F(d|t)において、任意の所定の確率（以下、「所定の安全確率」と称呼する。）に等しくなる走行距離を出発時刻別に求めることにより、出発時刻別及び安全確率別の担保すべき走行距離を求めることができる。尚、平日と休日別の出発時間帯別予想走行距離マップを作成するにあたっては、上述したａ〜ｃの各手法を組み合わせて実施可能であることは言うまでもない。そして、走行距離予測マップ生成部５３は、走行距離情報及び予測出発時刻情報を用いて、平日と休日別の出発時間帯別予想走行距離マップを作成すると、出発時間帯別予想走行距離マップをルールカーブ作成部５４に供給する。
【００５１】
ルールカーブ作成部５４においては、データ入力部５１から車両１０の電費情報を取得するとともに、走行距離予測マップ生成部５３から平日と休日別の出発時間帯別予想走行距離マップを取得する。そして、ルールカーブ作成部５４は、取得した出発時間帯別予想走行距離マップに基づき、各時間帯毎に予測されている走行距離を電費情報によって表される車両１０の電費で除することによって各時間帯にて必要な電力量（充電量）を推定して決定することにより、図７に示すような、各時刻に対してその時刻までに担保が必要となる推定必要電力量の関係を表すルールカーブを作成する。このように、車両１０に対応したルールカーブを作成すると、ルールカーブ作成部５４は作成したルールカーブを表すルールカーブ情報をデータ出力部５５に供給する。
【００５２】
データ出力部５５においては、ルールカーブ作成部５４から供給されたルールカーブ情報を取得する。そして、データ出力部５５は、ルールカーブ情報によって表されるルールカーブを用いて、車両１０のバッテリ１１を充電する充電計画或いは車両１０のバッテリ１１から電力を放電する放電計画を精度よく作成して出力する。具体的に、データ出力部５５は、ルールカーブ情報によって表されるルールカーブにおいて、図８に示すように、精度よく予測されている推定必要電力量の局所最大値近傍の点（例えば、接点）から、下記式８により表される線分（例えば、接線）を想定し、最も電力が必要な時間帯、言い換えれば、最も車両１０がバッテリ１１の電力を消費して走行する時間帯までに適切な電力量の充電を完了させる推定最遅充電開始時刻を推定して決定する。尚、下記式９によって表される線分は、局所最大値近傍にてルールカーブに接するか又は常にルールカーブによる推定必要電力量よりも大きな値を有する線分として設定される。
【数８】
0005897848.tif 000009
ただし、前記式８の右辺θ(t)は時刻tにおけるバッテリ１１への充電可能量を表し、前記式８中のT(t)は時刻tにおける予想気温を表し、前記式８中のVは充電電圧を表し、前記式８中のAは充電電流を表す。従って、データ出力部５５は、例えば、本装置３０に設けられた図示を省略する外気温センサによって検出される、又は、通信ユニット３２による通信によって外部から取得される予想気温T(t)、充放電スタンド４０によって車両１０のバッテリ１１に供給される充電電圧V及び充電電流Aを入力し、これら入力した各値のうちの少なくとも一つを用いて前記式８によって表される線分（例えば、接線）と所定のバッテリ残量との交点となる推定最遅充電開始時刻を決定する。尚、このように決定される推定最遅充電開始時刻は、ルールカーブにおける局所最大値となる時刻までに充電を完了させるときの最も遅い充電開始時刻として推定される。
【００５３】
一方、図８に示すように、ルールカーブにおける局所最大値を超えた時間帯においては、走行に必要な推定必要電力量が小さくなる。このため、例えば、車両１０のバッテリ１１に走行に必要な電力以上の電力が充電されている、すなわち、余剰電力を有している場合には、この余剰電力を、例えば、家屋で利用する電力として放電することもできる。このように、バッテリ１１から電力を放電する放電計画も、上述した充電計画と同様に、データ出力部５５は、ルールカーブ情報によって表されるルールカーブに基づいて精度よく作成することができる。
【００５４】
具体的に、データ出力部５５は、ルールカーブ情報によって表されるルールカーブにおいて、図８に示すように、精度よく予測されている推定必要電力量の局所最大値近傍の点（例えば、接点）から、前記式８と同様に構成される下記式９により表される線分（例えば、接線）を想定し、余剰電力が存在する時間帯からの放電が完了する推定最遅放電停止時刻を推定して決定する。尚、下記式９によって表される線分は、局所最大値近傍にてルールカーブに接するか又は常にルールカーブによる推定必要電力量よりも大きな値を有する線分として設定される。
【数９】
0005897848.tif 000010
ただし、前記式９の右辺φ(t)は時刻tにおけるバッテリ１１からの放電可能量を表す。従って、データ出力部５５は、予想気温T(t)、バッテリ１１からの放電電圧V及びバッテリ１１からの放電電流Aを入力し、これら入力した各値のうちの少なくとも一つを用いて前記式９によって表される線分（例えば、接線）と所定のバッテリ残量との交点となる推定最遅放電停止時刻を決定する。
【００５５】
このように、データ出力部５５が充電計画における推定最遅充電開始時刻を決定するとともに、放電計画における推定最遅放電停止時刻を決定すると、データ出力部５５は、決定した推定最遅充電開始時刻及び推定最遅放電停止時刻を、例えば、液晶表示ユニット３５に出力する。これにより、ユーザは、車両１０のバッテリ１１の充電を開始する時刻と放電を開始する時刻とを極めて容易に確認することができる。従って、ユーザは、例えば、推定最遅充電開始時刻となるまでに車両１０のバッテリ１１と充放電スタンド４０とを電気的に接続し、推定最遅充電開始時刻に充電を開始することによって車両１０の走行距離が多くなる時間帯までに走行に必要な電力量のバッテリ１１への充電を完了させることができ、走行における不安を覚えることなく確実に車両１０を利用して行動することができる。一方、ユーザは、例えば、車両１０を走行させた後に車両１０のバッテリ１１と充放電スタンド４０とを電気的に接続しておくことにより、ルールカーブに従って推定最遅放電停止時刻までバッテリ１１からの電力の放電を行うことができ、煩わしい操作が不要となる。
【００５６】
尚、この場合、ユーザは、上述したように、データ出力部５５が決定する充電計画及び放電計画（すなわち、推定最遅充電開始時刻及び推定最遅放電停止時刻の決定）を自動的に実施させることができる。具体的には、ユーザは、入力ユニット３４を利用して、本装置３０の電子制御ユニット３１に対して、例えば、ルールカーブ作成部５４によって作成されたルールカーブを表すルールカーブ情報と、データ出力部５５によって決定されて出力された推定最遅充電開始時刻及び推定最遅放電停止時刻を表す時刻情報とを、車両１０の充放電ユニット２０の車両側充放電ＥＣＵ２３に供給（送信）することを指示することができる。この指示に従って、電子制御ユニット３１は、通信ユニット３２を利用して、ルールカーブ情報及び時刻情報を、充放電ユニット２０の車両側充放電ＥＣＵ２３に送信する。
【００５７】
車両側充放電ＥＣＵ２３においては、本装置３０から送信（供給）されたルールカーブ情報及び時刻情報を取得する。そして、車両側充放電ＥＣＵ２３は、充放電スタンド４０の電力受給ＥＣＵ４２に対して、近距離無線通信により、ルールカーブ情報及び時刻情報を送信する。これにより、例えば、自宅における所定の駐車位置に設置された充放電スタンド４０の電力受給ＥＣＵ４２は、送信されたルールカーブ情報及び時刻情報を受信し、受信したルールカーブ情報によって表されるルールカーブ及び時刻情報によって表される推定最遅充電開始時刻に従い、電気的に接続された車両１０のバッテリ１１に対して推定最遅充電開始時刻なると自動的に充電を開始することができる。又、車両１０が外出しており、例えば、外出先における所定の駐車位置に設置された充放電スタンド４０の電力受給ＥＣＵ４２は、送信されたルールカーブ情報及び時刻情報を受信し、受信したルールカーブ情報によって表されるルールカーブ及び時刻情報によって表される推定最遅放電停止時刻に従い、電気的に接続された車両１０のバッテリ１１から推定最遅放電停止時刻なるまで自動的に放電を開始することができる。
【００５８】
以上の説明からも理解できるように、上記実施形態によれば、本装置３０の電子制御ユニット３１、より詳しくは、ルールカーブ作成部５４は、車両１０の過去の電力消費に関する情報に基づいて時刻（時間帯）における推定必要電力量の関係を示すルールカーブを精度よく推定して決定することができる。そして、本装置３０の電子制御ユニット３１、より詳しくは、データ出力部５５は、精度よく推定されて作成されたルールカーブに基づいて、車両１０を走行させるために必要となる推定必要電力量が最大となる時間帯（時刻）までにバッテリ１１への充電を完了させることができる推定最遅充電開始時刻を決定することができる。又、データ出力部５５は、精度よく推定されて作成されたルールカーブに基づいて、車両１０のバッテリ１１が余剰電力を有しているときにバッテリ１１から放電させることができる推定最遅放電停止時刻を決定することができる。これにより、ユーザは、極めて正確にかつ確実に車両１０を充放電制御することができる。従って、このような充放電制御の対象となる車両１０を利用するユーザは、良好なバッテリ１１の充電状態で車両を確実に利用することができて、極めて良好な利便性を享受することができる。
【００５９】
（１）第１変形例
上記実施形態においては、ルールカーブ作成部５４が作成するルールカーブが、図７に示したように、１つの局所最大値を有する場合を説明した。この場合、車両１０の走行履歴によっては、図９に示すように、ルールカーブ作成部５４が作成するルールカーブが複数の局所最大値を有する場合がある。この場合においても、図９に示すように、データ出力部５５は、上記実施形態と同様に、精度よく予測されている推定必要電力量の各局所最大値近傍の点（例えば、接点）から、前記式８により表される線分（例えば、接線）を想定し、最も電力が必要な時間帯、言い換えれば、最も車両がバッテリの電力を消費して走行する時間帯までに適切な電力量の充電を完了させる推定最遅充電開始時刻を推定して決定する。
【００６０】
このように、この第１変形例においても、ユーザは、例えば、推定最遅充電開始時刻となるまでに車両１０のバッテリ１１と充放電スタンド４０とを電気的に接続し、推定最遅充電開始時刻に充電を開始することによって車両１０の走行距離が多くなる時間帯までに走行に必要な電力量のバッテリ１１への充電を完了させることができ、走行における不安を覚えることなく確実に車両１０を利用して行動することができる。又、この第１変形例においても、上記実施形態と同様に、所定の駐車位置に設置された充放電スタンド４０の電力受給ＥＣＵ４２が、ルールカーブ情報及び時刻情報を受信することによって、推定最遅充電開始時刻になると電気的に接続された車両１０のバッテリ１１への充電を自動的に開始することができる。従って、この第１変形例においても、車両１０を利用するユーザは、良好なバッテリ１１の充電状態で車両を確実に利用することができて、極めて良好な利便性を享受することができる。
【００６１】
又、ルールカーブに複数の局所最大値が存在する第１変形例においても、車両１０バッテリ１１が余剰電力を有する場合には、図９に示すように、バッテリ１１から電力を放電することができる。ただし、この第１変形例においては、データ出力部５５が、上記実施形態と同様に、精度よく予測されている推定必要電力量が最も多くなる局所最大値近傍の点（例えば、接点）から、前記式９により表される線分（例えば、接線）を想定するが、隣接する他の局所最大値近傍から前記式８に従う線分が存在する場合には、これらの交点に対応する時刻（推定放電停止時刻）にて放電を停止するようになる点で若干異なる。
【００６２】
このように、この第１変形例においても、ユーザは、例えば、車両１０を走行させた後に車両１０のバッテリ１１と充放電スタンド４０とを電気的に接続しておくことにより、ルールカーブに従って推定放電停止時刻までバッテリ１１からの電力の放電を行うことができ、煩わしい操作が不要となる。又、この第１変形例においても、上記実施形態と同様に、充放電スタンド４０の電力受給ＥＣＵ４２がルールカーブ及び時刻情報によって表される推定放電停止時刻に従い、電気的に接続された車両１０のバッテリ１１から推定放電停止時刻なるまで自動的に放電を開始することができる。従って、この第１変形例においても、車両１０を利用するユーザは、極めて良好な利便性を享受することができる。
【００６３】
（２）第２変形例
上記実施形態及び第１変形例においては、ルールカーブ作成部５４によって作成されるルールカーブの推定必要電力量が、車両１０のバッテリ１１のバッテリ容量の上限以下となる場合を想定して説明した。この場合、例えば、バッテリ１１の経年劣化等の影響により、図１０に示すように、車両１０の過去の走行履歴に基づいて作成されるルールカーブにおける推定必要電力量がバッテリ容量の上限を超えてしまう可能性がある。尚、バッテリ容量の上限の変化については、周知の方法に従って推定されるとよい。
【００６４】
従って、この第２変形例においては、図１０に示すように、ルールカーブ作成部５４によって作成されたルールカーブにおける局所最大値の推定必要電力量がバッテリ容量の上限を超えるとき、データ出力部５５は、推定必要電力量がバッテリ容量の上限と一致する点から前記式８により表される線分（例えば、接線）を想定し、最も電力が必要な時間帯、言い換えれば、最も車両がバッテリの電力を消費して走行する時間帯までに適切な電力量の充電を完了させる推定最遅充電開始時刻を推定して決定する。又、図１０にて図示を省略するが、データ出力部５５は、推定必要電力量がバッテリ容量の上限と一致する点から前記式９により表される線分（例えば、接線）を想定し、余剰電力が存在する時間帯からの放電が完了する放電停止時刻を推定して決定する。
【００６５】
このように、この第２変形例においても、上記実施形態及び第１変形例と同様に、ユーザは、例えば、推定最遅充電開始時刻となるまでに車両１０のバッテリ１１と充放電スタンド４０とを電気的に接続し、推定最遅充電開始時刻に充電を開始することによって車両１０の走行距離が多くなる時間帯までに走行に必要な電力量のバッテリ１１への充電を完了させることができ、走行における不安を覚えることなく確実に車両１０を利用して行動することができる。又、この第２変形例においても、上記実施形態及び第１変形例と同様に、ユーザは、例えば、車両１０を走行させた後に車両１０のバッテリ１１と充放電スタンド４０とを電気的に接続しておくことにより、ルールカーブに従って推定放電停止時刻までバッテリ１１からの電力の放電を行うことができ、煩わしい操作が不要となる。又、この第２変形例においても、上記実施形態及び第１変形例と同様に、充放電スタンド４０の電力受給ＥＣＵ４２がルールカーブ及び時刻情報によって表される推定最遅充電開始時刻又は推定放電停止時刻に従い、推定最遅充電開始時刻となると電気的に接続された車両１０のバッテリ１１に自動的に充電を開始したり、電気的に接続された車両１０のバッテリ１１から推定最遅放電停止時刻（推定放電停止時刻）なるまで自動的に放電を開始することができる。従って、この第２変形例においても、車両１０を利用するユーザは、極めて良好な利便性を享受することができる。
【００６６】
（３）第３変形例
上記実施形態、上記第１及び第２変形例においては、充放電制御対象が車両１０のみである場合を説明した。ところで、例えば、車両１０のようなプラグイン電気車両を複数台所有しておりこれらの車両を充電する場合や、契約電力によって商用電源の電力容量が限られる一般家庭では車両１０の他に充電を要する家電製品等が存在する場合がある。すなわち、これらの場合においては、例えば、車両１０と他の家電機器とを使用するときの優先度、言い換えれば、充電優先度に応じて、充電開始時刻が決定されることが好ましい。このため、この第３変形例においては、車両１０を充電機器１とし、家電製品を充電機器２とし、充電機器１（車両１０）と充電機器２（家電製品）との優先度の比を２：１に設定した場合を例示して説明する。尚、優先度の比については、ユーザが適宜設定することができることは言うまでもない。
【００６７】
尚、この第３実施形態においては、ルールカーブ作成部５４は、充電機器２である家電製品のルールカーブを作成する。この場合、ルールカーブ作成部５４は、例えば、家電製品から出力される過去の電力の消費に関する情報等に基づいて時刻毎（時間帯）に対して推定される必要電力量の関係を表すルールカーブを生成するとよい。
【００６８】
そして、この第３変形例においては、図１１に示すように、データ出力部５５は、充電機器１と充電機器２のそれぞれのルールカーブについて、推定最遅充電開始時刻を推定して決定する。具体的に説明すると、データ出力部５５は、優先度の低い充電機器２のルールカーブの局所最大値近傍の点（例えば、接点）から、図１１に示すように、前記式８により表される線分（例えば、接線）を設ける。そして、データ出力部５５は、この設けた線分（例えば、接線）と、充電機器１のルールカーブにおける局所最大値となる時刻との交点Ｘを決定する。更に、データ出力部５５は、この交点Ｘから、図１１に示すように、優先度の比に従って前記式８のおける充電可能量θ(t)を１／３とした線分（例えば、接線）を設け、この線分（例えば、接線）と充電機器１のルールカーブにおける局所最大値となる推定必要電力量との交点Ｙを決定する。そして、データ出力部５５は、図１１に示すように、この交点Ｙとなる時刻を充電機器２の推定最遅充電開始時刻として決定する。
【００６９】
一方、優先度の高い充電機器１に関しては、データ出力部５５は、充電機器１のルールカーブの局所最大値近傍の点（例えば、接点）から、図１１に示すように、優先度の比に従って前記式８のおける充電可能量θ(t)を２／３とした線分（例えば、接線）を設ける。そして、データ出力部５５は、図１１に示すように、この線分（例えば、接線）と充電機器２の推定最遅充電開始時刻との交点Ｚを決定し、この交点Ｚから前記式８により表される線分（例えば、接線）を設ける。これにより、データ出力部５５は、前記式８によって表される線分（例えば、接線）と所定の最低バッテリ残量との交点が充電機器１の推定最遅充電開始時刻として決定する。尚、この第３変形例における推定最遅放電停止時刻については、上記優先度を考慮した推定最遅充電開始時刻の決定と同様に決定される。
【００７０】
これにより、この第３変形例においては、充電を必要とする機器が複数存在し、これらの機器を充電する場合、機器の優先度に応じて、上記実施形態及び第１，２変形例と同様に、適切に充電を完了させることができる。その他の効果については、上記実施形態及び第１，２変形例と同様の効果が期待できる。
【００７１】
本発明の実施にあたっては、上記実施形態及び各変形例に限定されるものではなく、本発明の目的を逸脱しない限りにおいて、種々の変更が可能である。
【００７２】
例えば、上記実施形態及び各変形例においては、ルールカーブ作成部５４が生成するルールカーブは、走行距離予測マップ生成部５３が、出発・到着時刻予測マップ生成部５２によって前記式１に従って作成された出発予想時刻マップと車両１０の走行距離とを用いて、例えば、統計処理により作成した出発時間帯別予想走行距離マップを用いて作成するように実施した。これにより、極めて精度よく予測された車両１０の利用状況に基づくルールカーブを作成することができるため、データ出力部５５によって決定される充放電計画も極めて精度よく決定することができるようにした。
【００７３】
この場合、ルールカーブ作成部５４が、例えば、出発・到着時刻予測マップ生成部５２によって作成される出発予想時刻マップとデータ入力部５１から供給された走行距離とを用いてルールカーブを生成するように実施可能であることは言うまでもない。この場合、走行距離情報によって表される走行距離のデータが存在すれば、若干精度が悪化するものの、ルールカーブを作成することができて、データ出力部５５がこのルールカーブを利用して推定最遅充電開始時刻や推定最遅放電停止時刻を決定することができる。
【００７４】
又、出発・到着時刻予測マップ生成部５２によって作成される出発予想時刻マップ及び到着予想時刻マップを用いて、電気的に接続された車両のバッテリを充放電制御することも可能である。すなわち、この場合においては、データ出力部５５は、精度よく予測されている到着予想時刻マップを用いて、充放電対象である車両１０が所定の駐車位置に駐車されている可能性の高い時刻（すなわち、出現累積確率（安全確率）Pthが所定の安全確率（例えば、９０％）以上となる時刻）を特定する。尚、所定の安全確率については、予め設定されるものであってもよいし、適宜変更されるものであってもよい。このように、車両１０が所定の駐車位置に駐車されている可能性の高い時刻（時間帯）を特定することにより、データ出力部５５は、この特定した時刻以降（時間帯）に車両１０のバッテリ１１に電力を供給して充電したり、車両１０のバッテリ１１から電力を放電させたりすることをユーザに提示することができる。
【００７５】
一方で、データ出力部５５は、精度よく予測されている出発予想時刻マップを用いて、充放電対象である車両１０が所定の駐車位置から出発する可能性の高い時刻（すなわち、出現累積確率（安全確率）Pthが所定の安全確率（例えば、９０％）以上となる時刻）を特定する。このように、車両１０が所定の駐車位置から出発する可能性の高い時刻（時間帯）を特定することにより、データ出力部５５は、この特定した時刻（時間帯）までに車両１０のバッテリ１１に電力を供給して充電したり、車両１０のバッテリ１１から電力を放電させたりすることをユーザに提示することができる。
【００７６】
又、上記実施形態及び各変形例においては、データ出力部５５によって推定最遅充電開始時刻や推定最遅放電停止時刻を決定されると、これら各時刻までに充放電スタンド４０と車両１０のバッテリ１１とを電気的に接続しておき、推定最遅充電開始時刻や推定最遅放電停止時刻に充電が開始されたり放電が停止されるように実施した。この場合、何らかの事情により、ユーザ（或いは充放電スタンド４０の電力受給制御ＥＣＵ４２）が、特に、決定された推定最遅充電開始時刻に充電を開始しない場合や推定最遅充電開始時刻よりも後に自ら充電開始時刻を設定する場合には、本装置３０の電子制御ユニット３１（より詳しくは、データ出力部５５）は、液晶表示ユニット３５を介して、バッテリ１１に推定必要電力量となるまで十分に充電できない可能性があることを報知することができる。
【００７７】
更に、この場合、本装置３０の電子制御ユニット３１（より詳しくは、データ出力部５５）が液晶表示ユニット３５を介して、バッテリ１１に推定必要電力量となるまで十分に充電できない可能性があることを報知した後、ユーザ自らが充電開始時刻を設定できないように実施することも可能である。これにより、確実に、充電により、推定必要電力量を確保することができる。
【符号の説明】
【００７８】
１０…車両、１１…バッテリ、１２…インバータ、１３…走行用モータ、１４…モータ制御ユニット、２０…充電システム、２１…受給電コネクタ、２２…ＡＣ／ＤＣ変換器、２３…車両側充放電ＥＣＵ、２４…充放電制御スイッチ、２５…ＳＯＣ検出部、３０…充放電支援装置、３１…電子制御ユニット、３２…通信ユニット、３３…記憶ユニット、３３ａ…車両走行履歴データベース、３４…入力ユニット、３５…液晶表示ユニット、４０…充放電スタンド、４１…充放電用コンセント、４２…電力受給ＥＣＵ、５１…データ入力部、５２…出発・到着時刻予測マップ生成部、５３…走行距離予測マップ生成部、５４…ルールカーブ作成部、５５…データ出力部、Ｋ…充放電用接続ケーブル、Ｋ１，Ｋ２…プラグ
【図１】
0005897848.tif 000011
【図２】
0005897848.tif 000012
【図３】
0005897848.tif 000013
【図４】
0005897848.tif 000014
【図５】
0005897848.tif 000015
【図６】
0005897848.tif 000016
【図７】
0005897848.tif 000017
【図８】
0005897848.tif 000018
【図９】
0005897848.tif 000019
【図１０】
0005897848.tif 000020
【図１１】
0005897848.tif 000021